(57)【要約】【課題】嵩高い被包装体の収容を可能にした包装袋を提供することを主要な目的とする。【解決手段】本考案は、上面の径と底面の径が略等しい収容空間１６を有する、プラスチックフィルムで形成された包装袋１に係る。包装袋１は、収容空間１６の上面を形成する上面部９と、収容空間１６の側部を形成する側壁部１７と、収容空間１６の底面を形成する底面部１０とを備える。上面部９は、下方向に谷部９ａができるように折り畳まれ、かつ水平方向に広がる。底面部１０は、上方向に谷部１０ａが出来るように折り畳まれ、かつ水平方向に広がる。少なくとも両側部及び下辺の３辺がヒートシールで止められてなる。【選択図】図１
0003202815.tif 000002
【実用新案登録請求の範囲】
【請求項１】
上面の径と底面の径が略等しい収容空間を有する、プラスチックフィルムで形成された包装袋であって、
下方向に谷部ができるように折り畳まれ、かつ水平方向に広がる、前記収容空間の上面を形成する上面部と、
前記収容空間の側部を形成する側壁部と、
上方向に谷部が出来るように折り畳まれ、かつ水平方向に広がる、前記収容空間の底面を形成する底面部とを備え、
少なくとも両側部及び下辺の３辺がヒートシールで止められてなる包装袋。
【請求項２】
前記プラスチックフィルムは、熱可塑性樹脂フィルム／シール層又は熱可塑性樹脂フィルム／バリア層／シール層の積層フィルムを含む請求項１に記載の包装袋。
【考案の詳細な説明】
【技術分野】
【０００１】
本考案は一般に包装袋に関するものであり、より特定的には、嵩高な被包装体を封入できるように改良された包装袋に関する。
【背景技術】
【０００２】
従来から使用されている包装袋１の基本的構成は、図４（Ａ）、（Ｂ）に示すように、前後２面の壁面フィルム１ａ、１ｂを備え、これらの４辺すなわち両側部と上辺と下辺をシールしてなる。斜めハッチングした部分がシール部２である。包装袋１は、壁面フィルム１ａ、１ｂの下辺の間に、底面フィルム３を内側に向けて折り返し、底面フィルム折り返し部４まで挿入してなるガゼット５を有する。底面フィルム３を広げると、図４（Ｂ）に示すように自立する。
【０００３】
包装袋１の上部には、再封止手段であるチャック６（チャックを合わせて端から軽くおさえて閉める機能を有する）が設けられている。一方の側のフィルム１ａと他方の側のフィルム１ｂとに囲まれて形成された収容部に、内容物７が密封される。図４（Ｃ）に示すように、切り欠き部８より開封し、チャック６を開け、サプリメントなどの内容物７を取り出す。
【考案の概要】
【考案が解決しようとする課題】
【０００４】
しかしながら、サプリメントなどの小粒の被包装体を収容する従来の包装袋では、図４（Ｃ）に示すように、底部分では水平方向に広がるが、上方部分では、先細りになっているため、立方体、直方体など、例えば名刺入れ箱のような嵩高い被包装体１１を収容できないという問題点があった。
【０００５】
この考案は、上記のような問題点を解決するためになされたもので、嵩高い被包装体の収容を可能にした包装袋を提供することを目的とする。
【課題を解決するための手段】
【０００６】
本考案に係る包装袋は、上面の径と底面の径が略等しい収容空間を有する、プラスチックフィルムで形成された包装袋であって、上記収容空間の上面を形成する上面部と、上記収容空間の側部を形成する側壁部と、上記収容空間の底面を形成する底面部とを備える。上記上面部は、下方向に谷部ができるように折り畳まれ、かつ水平方向に広がる。上記底面部は、上方向に谷部が出来るように折り畳まれ、かつ水平方向に広がる。少なくとも両側部及び下辺の３辺がヒートシールで止められてなる。
【０００７】
本考案に係る包装袋によれば、上面の径と底面の径が略等しい収容空間ができる。
【０００８】
上記プラスチックフィルムは、熱可塑性樹脂フィルム／シール層又は熱可塑性樹脂フィルム／バリア層／シール層の積層フィルムで形成されるのが好ましい。
【０００９】
上記積層フィルムは、特に、ＯＰＰフィルム（OPP＝Oriented Polypropylene(二軸延伸ポリプロピレン)）とＣＰＰフィルム（Cast Polypropylene (無軸延伸ポリプロピレン)）との積層フィルムであるのが好ましい。
【考案の効果】
【００１０】
本考案に係る包装袋によれば、上面の径と底面の径が略等しい収容空間を有するので、嵩高い被包装体の収容が可能となる。
【図面の簡単な説明】
【００１１】
【図１】（Ａ）は、本考案の実施例１に係る包装袋の正面図であり、（Ｂ）は、図１（Ａ）におけるＢ−Ｂ線に沿う断面図であり、（Ｃ）は、上面フィルムと底面フィルムを水平方向に広げたときの斜視図であり、（Ｄ）は、図１（Ｃ）におけるＤ−Ｄ線に沿う断面図である。
【図２】（Ａ）は、包装袋を作る積層フィルムの断面図であり、（Ｂ）は、本考案に係る包装袋の製造方法の第１工程であり、（Ｃ）は、図２（Ｂ）におけるＣ−Ｃ線に沿う断面図であり、（Ｄ）は、本考案に係る包装袋の製造方法の第２工程であり、（Ｅ）は、図２（Ｄ）におけるＥ−Ｅ線に沿う断面図である。
【図３】（Ａ）は、収容空間に被包装体を収容する前の包装袋の断面図であり、（Ｂ）は、被包装体の収納開始時を説明する図であり、（Ｃ）は、収容空間への被包装体の収納を終えたときの断面図であり、（Ｄ）は、一方の側に押し付けられていた上面部を水平方向に広げていった時の断面図であり、（Ｅ）は、上辺をシールして被包装体を密封した時の断面図であり、（Ｆ）は、その斜視図である。
【図４】（Ａ）は、従来から使用されているガゼット付き包装用袋の正面図であり、（Ｂ）は、底面フィルムを広げた時の概念図であり、（Ｃ）は、図４（Ａ）におけるＣ−Ｃ線に沿う断面図である。
【考案を実施するための形態】
【００１２】
嵩高い被包装体の収容を可能にした包装袋を得るという目的を、上面の径と底面の径が略等しい収容空間を持たせることによって実現した。以下、本考案の実施例を、図を用いて説明する。なお、各図中において、同一又は相当する部分には同一の参照番号を付し、その説明を繰り返さない。
【実施例１】
【００１３】
図１（Ａ）、（Ｂ）、（Ｃ）及び（Ｄ）を参照して、本考案の実施例１に係る包装袋１は、上面の径と底面の径が略等しい収容空間１６を有する、プラスチックフィルムで形成された包装袋である。包装袋１は、収容空間１６の上面を形成する上面部９と、収容空間１６の側部を形成する側壁部１７と、収容空間１６の底面を形成する底面部１０とを備える。上面部９は、下方向に谷部９ａができるように折り畳まれ、かつ水平方向に広がる。底面部１０は、上方向に谷部１０ａが出来るように折り畳まれ、かつ水平方向に広がる。少なくとも両側部及び下辺の３辺がヒートシールで止められている。斜めのハッチングで示した部分がヒートシール部２である。
【００１４】
上面部９、側壁部１７及び底面部１０は、一枚フィルムで連なっている。
【００１５】
本実施例に係る包装袋によれば、図１（Ｃ）、（Ｄ）に示すように、被包装体１１である、例えば角型の嵩高い立体物が封入されると、折り畳まれていた上面部９及び底面部１０が双方とも水平方向に広げられて、上面の径と底面の径が略等しい収容空間１６が形成されるので、被包装体１１として、嵩高い立体物の収容が可能となる。
【００１６】
次に、本考案に係る包装袋の製造方法の一具体例について説明する。図２（Ａ）に示すように、表層１２とシール層１３が積層された１枚の積層フィルム１４を準備する。表層１２の厚みは１２〜２５μｍである。シール層１３の厚みは４０〜７０μｍである。積層フィルム１４は、例えばヒートシール性のＯＰＰフィルム（OPP＝Oriented Polypropylene(二軸延伸ポリプロピレン)）とＣＰＰフィルム（Cast Polypropylene (無軸延伸ポリプロピレン)）との積層体である。
【００１７】
図２（Ｂ）、（Ｃ）に示すように、シール層１３が内側になるように、１枚の積層フィルム１４を以下のように折っていく。
【００１８】
すなわち、底面部１０になる部分を、上方向に谷部が出来るように折り畳んで、側壁部１７、１８になる部分の下部の間に挿入する。一方、一方の壁面フィルム１ａを他方の壁面フィルム１ｂの上で山折り部１５ができるように手繰り寄せ、山折部１５を底面部１０から遠ざかる方向Ｐに折り畳み、一方の壁面フィルム１ａの上に押し付ける。この状態で、図２（Ｄ）に示すように、側部及び下辺をヒートシールする。これによって、図２（Ｅ）に示す、収容空間１６の上面を形成する上面部９と、収容空間１６の側部を形成する側壁部１７と、収容空間１６の底面を形成する底面部１０とを備えた、一枚フィルムで形成された包装袋１が得られる。
【００１９】
次に、収容空間１６に被包装体１１を収容する動作について説明する。
【００２０】
図３（Ａ）を参照して、一方の壁面フィルム１ａの上端と他方の壁面フィルム１ｂの上端とで形成された開口部１８を広げて、図３（Ｂ）に示すように、被包装体１１を挿入する。この時、上面部９は、他方の壁面フィルム１ｂから遠ざかるように、一方の側へ押し付けられる。被包装体１１の挿入が深くなるにつれて、両側壁部１７，１７の間隔は広げられ、かつ底面部１０は水平方向に広がっていく。図３（Ｃ）を参照して、被包装体１１が収容空間１６に完全に納められると、一方の側に押し付けられていた上面部９を水平方向（矢印で示す方向）に広げていく。
【００２１】
図３（Ｄ）を参照して、上面部９の水平方向への広がりが終了すると、収容空間１６は、上面部９が蓋になって閉じられる。図３（Ｅ）を参照して、一方の壁面フィルム１ａの上端と他方の壁面フィルム１ｂの上端とをヒートシールして閉じると、上辺にシール部２ができて被包装体１１は密封される。図３（Ｆ）は、４辺がシールされた包装体の斜視図である。切り欠き部８を形成すると、開封できるようになる。
【００２２】
なお、上記実施例では、上面部９、側壁部１７、底面部１０を一枚フィルムで形成する場合を例示したが、この考案はこれに限られるものでない。
【００２３】
本考案に係る包装袋によれば、上面の径と底面の径が略等しい収容空間を有するので、種々の形状を持つ嵩高の被包装体を収容することができる。上記実施例では、被包装体の例として、角型を例示したが、円筒型でもよい。カルタ、トランプなどの娯楽品、コンセントなどの電気製品、お土産品、弁当箱、計算器などの種々の形状を有する嵩高な物品を密封できる。
【００２４】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００２５】
本考案に係る包装袋は、上面の径と底面の径が略等しい収容空間を有するので、種々の形状を有する嵩高の被包装体の密封に利用できる。
【符号の説明】
【００２６】
１     包装袋
１ａ   一方の壁面フィルム
１ｂ   他方の壁面フィルム
２     シール部
３     底面フィルム
４     底面フィルム折り返し部
５     ガゼット
６     チャック
７     内容物
８     切り欠き部
９     上面部
９ａ   谷部
１０   底面部
１０ａ 谷部
１１   被包装体
１２   表層
１３   シール層
１４   積層フィルム
１５   山折り部
１６   収容空間
１７   側壁部
１８   開口部
【図２】
0003202815.tif 000003
【図４】
0003202815.tif 000004
【図１】
0003202815.tif 000005
【図３】
0003202815.tif 000006